【手続補正書】
【提出日】平成16年4月22日(2004.4.22)
【手続補正１】
【補正対象書類名】明細書
【補正対象項目名】特許請求の範囲
【補正方法】変更
【補正の内容】
【特許請求の範囲】
【請求項１】
放送対象となる放送番組信号と関連データと時刻信号が多重化されたビット列の放送信号を受信するテレビジョン放送システム用受信装置であって、
受信されたビット列の放送信号を放送番組信号と関連データとに分離する受信分離手段と、
この受信分離手段で分離された放送番号信号とこの放送番組信号に多重化された時刻信号、および、前記受信分離手段で分離された関連データとこの関連データに多重化された時刻信号から復号された時刻情報をそれぞれ蓄積する蓄積手段と、
前記受信分離手段で分離された放送番組信号に多重化された時刻信号から復号された時刻情報と、前記蓄積手段から再生された放送番組信号に多重化された時刻信号から復号された時刻情報と、前記蓄積手段から再生された関連データに対応した時刻情報との間で時刻の比較を行う時刻比較手段と、
前記蓄積手段に蓄積された放送番組信号および関連データの再生形式を指示するとともに、前記受信分離手段で分離された放送番組信号および関連データと前記蓄積手段から再生された放送番組信号および関連データとの取捨選択または合成を指示する選択指示手段と、
この選択指示手段の選択指示および前記時刻比較手段の比較結果に基づき、前記蓄積手段に蓄積された放送番組信号および関連データをその再生形式を制御した上で再生し、この再生された放送番組および関連データ、ならびに前記受信分離手段で分離される放送番組信号および関連データをその表示形式を制御した上で取捨選択または合成して再生表示する再生表示手段と、
を備えることを特徴とするテレビジョン放送システム用受信装置。
【請求項２】
放送対象となる放送番組信号と関連データと時刻信号が多重化されたビット列の放送信号を受信するテレビジョン放送システム用受信装置であって、
受信されたビット列の放送信号を放送番組信号と関連データとに分離する受信分離手段と、
この受信分離手段で分離された放送番組信号をこの放送番組信号に多重化された時刻信号とともに蓄積する蓄積手段と、
前記受信分離手段で分離された放送番組信号に多重化された時刻信号から復号された時刻情報と、前記蓄積手段から再生された放送番組信号に多重化された時刻信号から復号された時刻情報との差分を検出する時刻比較手段と、
前記蓄積手段に蓄積された放送番組信号の再生形式を指定するとともに、前記受信分離手段で分離された放送番組信号と前記蓄積手段から再生された放送番組信号との取捨選択を指示する選択指示手段と、
前記蓄積手段に蓄積され、前記選択指示手段の指示に基づき指定された再生形式で再生されている放送番組信号が、前記受信分離手段で分離された放送番組信号に追いついたかどうかを前記時刻比較手段で検出された差分に基づいて判定し、その判定結果に基づく指示により、前記選択指示手段の指示に基づき前記蓄積手段から再生されている放送番組信号および前記受信分離手段で分離された放送番組信号を切り替えて再生表示する再生表示手段と、
を備えることを特徴とするテレビジョン放送システム用受信装置。
【請求項３】
放送対象となる放送番組信号と関連データと時刻信号が多重化されたビット列の放送信号を受信するテレビジョン放送システム用受信装置であって、
受信されたビット列の放送信号を放送番組信号と関連データとに分離する受信分離手段と、
この受信分離手段で分離された放送番組信号とこの放送番組信号に多重化された時刻信号、および、前記受信分離手段で分離された関連データとこの関連データに多重化された時刻信号から復号された時刻情報をそれぞれ蓄積する蓄積手段と、
この蓄積された関連データ中から前記蓄積された放送番組信号のシーンに対応づけられた関連データと時刻情報を抽出し、抽出された関連データを表示中の現在の放送番組上に合成してメニュー形式の選択画面を表示するメニュー表示手段と、
前記蓄積手段から再生された放送番組信号に多重化された時刻信号から復号された時刻情報と、前記メニュー表示から選択されたシーンに対応した時刻情報との間で時刻の比較を行う時刻比較手段と、
この時刻比較手段の比較結果に基づいて、前記蓄積手段から再生された放送番組信号の中から前記選択されたシーンに対応する放送番組信号部分を再生表示する再生表示手段と、
を備えることを特徴とするテレビジョン放送システム用受信装置。
【請求項４】
放送対象となる放送番組信号と関連データと時刻信号が多重化されたビット列の放送信号を受信するテレビジョン放送システム用受信装置であって、
受信されたビット列の放送信号を放送番組信号と関連データとに分離する受信分離手段と、
この受信分離手段で分離された放送番組信号とこの放送番組信号に多重化された時刻信号、および、前記受信分離手段で分離された関連データとこの関連データに多重化された時刻信号から復号された時刻情報をそれぞれ蓄積する蓄積手段と、
この蓄積手段から再生された放送番組信号に多重化された時刻信号から復号された時刻情報と、前記蓄積手段から再生された関連データに対応した時刻情報との間で時刻の比較を行う時刻比較手段と、
この時刻比較手段の比較結果に基づいて、前記蓄積手段から再生された関連データ中に含まれる前記蓄積手段から再生された放送番組信号に対応した関連データを、前記蓄積手段から再生される放送番組信号の映像信号に合成して表示する再生表示手段と、
を備えることを特徴とするテレビジョン放送システム用受信装置。
【請求項５】
放送対象となる放送番組信号と関連データと時刻信号が多重化されたビット列の放送信号を受信するテレビジョン放送システム用受信装置であって、
受信されたビット列の放送信号を放送番組信号と関連データとに分離する受信分離手段と、
この受信分離手段で分離された放送番組信号とこの放送番組信号に多重化された時刻信号、および、前記受信分離手段で分離された関連データをそれぞれ蓄積する蓄積手段と、
この蓄積手段から再生された関連データ中に含まれる画像データで示される画像を画面表示するとともに、前記蓄積手段に蓄積された複数種類の放送番組信号の選択可能な番組内容を示す選択画面を作成して、前記画像と合成して表示する再生表示手段と、
前記蓄積手段から再生された関連データ中に含まれる開始時刻情報または終了時刻情報と前記受信分離手段で分離された放送番組信号に多重化された時刻信号から復号された時刻情報との間で時刻の比較を行う時刻比較手段とを備え、
前記蓄積手段は、前記時刻比較手段の比較結果に基づいて、前記開始時刻から前記終了時刻まで、前記受信分離手段で分離された複数種類の放送番組信号を蓄積する蓄積手段であり、
前記時刻比較手段は、前記蓄積手段から再生された放送番組信号に多重化された時刻信号から復号された時刻情報と、前記終了時刻との間で時刻の比較を行い前記再生された放送番組信号の終了時刻を検出する時刻比較手段であり、
前記再生表示手段は、前記選択画面の再生表示の後に、前記選択画面から選択され前記蓄積手段から再生された放送番組信号を前記時刻比較手段の検出結果に基づき前記終了時刻まで再生表示する再生表示手段である、
ことを特徴とするテレビジョン放送システム用受信装置。
【手続補正２】
【補正対象書類名】明細書
【補正対象項目名】０００１
【補正方法】変更
【補正の内容】
【０００１】
【発明の属する技術分野】
本発明は、放送番組に付随する補助的なデータを利用して、各家庭側で受信した放送番組や情報を多彩な再生方式で再生するテレビジョン放送システム用受信装置に関する。


【手続補正３】
【補正対象書類名】明細書
【補正対象項目名】０００８
【補正方法】変更
【補正の内容】
【０００８】
本発明は上記の事情に鑑み、放送番組やこの放送番組に付随するデータを収録して、番組の概要や出演者など、放送番組に関連する情報の視聴や、放送番組の繰り返し視聴、短縮視聴、可変速視聴など、多彩で、かつ効率的な視聴を行うことのできるテレビジョン放送システム用受信装置を提供することを主目的としている。


【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
【課題を解決するための手段】
上記の目的を達成するために本発明は、請求項１では、放送対象となる放送番組信号と関連データと時刻信号が多重化されたビット列の放送信号を受信するテレビジョン放送システム用受信装置であって、受信されたビット列の放送信号を放送番組信号と関連データとに分離する受信分離手段と、この受信分離手段で分離された放送番号信号とこの放送番組信号に多重化された時刻信号、および、前記受信分離手段で分離された関連データとこの関連データに多重化された時刻信号から復号された時刻情報をそれぞれ蓄積する蓄積手段と、前記受信分離手段で分離された放送番組信号に多重化された時刻信号から復号された時刻情報と、前記蓄積手段から再生された放送番組信号に多重化された時刻信号から復号された時刻情報と、前記蓄積手段から再生された関連データに対応した時刻情報との間で時刻の比較を行う時刻比較手段と、前記蓄積手段に蓄積された放送番組信号および関連データの再生形式を指示するとともに、前記受信分離手段で分離された放送番組信号および関連データと前記蓄積手段から再生された放送番組信号および関連データとの取捨選択または合成を指示する選択指示手段と、この選択指示手段の選択指示および前記時刻比較手段の比較結果に基づき、前記蓄積手段に蓄積された放送番組信号および関連データをその再生形式を制御した上で再生し、この再生された放送番組および関連データ、ならびに前記受信分離手段で分離される放送番組信号および関連データをその表示形式を制御した上で取捨選択または合成して再生表示する再生表示手段とを備えることを特徴としている。
上記構成によれば、放送番組やこの放送番組に付随するデータを収録して、番組の概要や出演者など、放送番組に関連する情報の視聴や、放送番組の繰り返し視聴、短縮視聴、可変速視聴など、多彩で、かつ効率的な視聴が可能となる。


【手続補正７】
【補正対象書類名】明細書
【補正対象項目名】００１２
【補正方法】変更
【補正の内容】
【００１２】
請求項２では、放送対象となる放送番組信号と関連データと時刻信号が多重化されたビット列の放送信号を受信するテレビジョン放送システム用受信装置であって、受信されたビット列の放送信号を放送番組信号と関連データとに分離する受信分離手段と、この受信分離手段で分離された放送番組信号をこの放送番組信号に多重化された時刻信号とともに蓄積する蓄積手段と、前記受信分離手段で分離された放送番組信号に多重化された時刻信号から復号された時刻情報と、前記蓄積手段から再生された放送番組信号に多重化された時刻信号から復号された時刻情報との差分を検出する時刻比較手段と、前記蓄積手段に蓄積された放送番組信号の再生形式を指定するとともに、前記受信分離手段で分離された放送番組信号と前記蓄積手段から再生された放送番組信号との取捨選択を指示する選択指示手段と、前記蓄積手段に蓄積され、前記選択指示手段の指示に基づき指定された再生形式で再生されている放送番組信号が、前記受信分離手段で分離された放送番組信号に追いついたかどうかを前記時刻比較手段で検出された差分に基づいて判定し、その判定結果に基づく指示により、前記選択指示手段の指示に基づき前記蓄積手段から再生されている放送番組信号および前記受信分離手段で分離された放送番組信号を切り替えて再生表示する再生表示手段とを備えることを特徴としている。
上記構成によれば、補助的なデータ（関連データ）を用いることなく、放送番組信号のみで、蓄積している放送番組の一時停止や反復視聴、あるいはいわゆる追っかけ再生などを行うことができる。


【手続補正８】
【補正対象書類名】明細書
【補正対象項目名】００１３
【補正方法】変更
【補正の内容】
【００１３】
請求項３では、放送対象となる放送番組信号と関連データと時刻信号が多重化されたビット列の放送信号を受信するテレビジョン放送システム用受信装置であって、受信されたビット列の放送信号を放送番組信号と関連データとに分離する受信分離手段と、この受信分離手段で分離された放送番組信号とこの放送番組信号に多重化された時刻信号、および、前記受信分離手段で分離された関連データとこの関連データに多重化された時刻信号から復号された時刻情報をそれぞれ蓄積する蓄積手段と、この蓄積された関連データ中から前記蓄積された放送番組信号のシーンに対応づけられた関連データと時刻情報を抽出し、抽出された関連データを表示中の現在の放送番組上に合成してメニュー形式の選択画面を表示するメニュー表示手段と、前記蓄積手段から再生された放送番組信号に多重化された時刻信号から復号された時刻情報と、前記メニュー表示から選択されたシーンに対応した時刻情報との間で時刻の比較を行う時刻比較手段と、この時刻比較手段の比較結果に基づいて、前記蓄積手段から再生された放送番組信号の中から前記選択されたシーンに対応する放送番組信号部分を再生表示する再生表示手段とを備えることを特徴としている。
上記構成によれば、関連データに記述された番組の説明情報などをメニュー形式で表示し、視聴者によってメニュー表示されているシーンの１つが選択されたとき、蓄積されている放送番組信号の中から、シーンを選択して視聴させることができる。


【手続補正９】
【補正対象書類名】明細書
【補正対象項目名】００１４
【補正方法】変更
【補正の内容】
【００１４】
請求項４では、放送対象となる放送番組信号と関連データと時刻信号が多重化されたビット列の放送信号を受信するテレビジョン放送システム用受信装置であって、受信されたビット列の放送信号を放送番組信号と関連データとに分離する受信分離手段と、この受信分離手段で分離された放送番組信号とこの放送番組信号に多重化された時刻信号、および、前記受信分離手段で分離された関連データとこの関連データに多重化された時刻信号から復号された時刻情報をそれぞれ蓄積する蓄積手段と、この蓄積手段から再生された放送番組信号に多重化された時刻信号から復号された時刻情報と、前記蓄積手段から再生された関連データに対応した時刻情報との間で時刻の比較を行う時刻比較手段と、この時刻比較手段の比較結果に基づいて、前記蓄積手段から再生された関連データ中に含まれる前記蓄積手段から再生された放送番組信号に対応した関連データを、前記蓄積手段から再生される放送番組信号の映像信号に合成して表示する再生表示手段とを備えることを特徴としている。
上記構成によれば、映像信号に、蓄積手段から抽出される再生中の番組に関する関連データを合成して重ねて表示することができるので、多彩な番組選択が可能となる。


【手続補正１０】
【補正対象書類名】明細書
【補正対象項目名】００１５
【補正方法】変更
【補正の内容】
【００１５】
請求項５では、放送対象となる放送番組信号と関連データと時刻信号が多重化されたビット列の放送信号を受信するテレビジョン放送システム用受信装置であって、受信されたビット列の放送信号を放送番組信号と関連データとに分離する受信分離手段と、この受信分離手段で分離された放送番組信号とこの放送番組信号に多重化された時刻信号、および、前記受信分離手段で分離された関連データをそれぞれ蓄積する蓄積手段と、この蓄積手段から再生された関連データ中に含まれる画像データで示される画像を画面表示するとともに、前記蓄積手段に蓄積された複数種類の放送番組信号の選択可能な番組内容を示す選択画面を作成して、前記画像と合成して表示する再生表示手段と、前記蓄積手段から再生された関連データ中に含まれる開始時刻情報または終了時刻情報と前記受信分離手段で分離された放送番組信号に多重化された時刻信号から復号された時刻情報との間で時刻の比較を行う時刻比較手段とを備え、前記蓄積手段は、前記時刻比較手段の比較結果に基づいて、前記開始時刻から前記終了時刻まで、前記受信分離手段で分離された複数種類の放送番組信号を蓄積する蓄積手段であり、前記時刻比較手段は、前記蓄積手段から再生された放送番組信号に多重化された時刻信号から復号された時刻情報と、前記終了時刻との間で時刻の比較を行い前記再生された放送番組信号の終了時刻を検出する時刻比較手段であり、前記再生表示手段は、前記選択画面の再生表示の後に、前記選択画面から選択され前記蓄積手段から再生された放送番組信号を前記時刻比較手段の検出結果に基づき前記終了時刻まで再生表示する再生表示手段であることを特徴としている。
上記構成によれば、伝送された静止画など視聴者が参照している間に、複数の部分番組が蓄積され、静止画の参照後に、視聴者の指示に従い、蓄積しておいた部分番組を選択的に視聴することができ、また、番組の内容あるいは演出に適した視聴形態等の多彩な視聴を実現することができる。


【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】変更
【補正の内容】
【００２１】
【発明の実施の形態】
《実施の形態の構成》
図１は本発明によるテレビジョン放送システム用受信装置の実施の形態を示すブロック図である。


【手続補正１７】
【補正対象書類名】明細書
【補正対象項目名】００８４
【補正方法】変更
【補正の内容】
【００８４】
【発明の効果】
以上説明したように本発明によれば、放送番組やこの放送番組に付随するデータを収録して、番組の概要や出演者など、放送番組に関連する情報の視聴や、放送番組の繰り返し視聴、短縮視聴、可変速視聴など、多彩で、かつ効率的な視聴が可能となる。


【手続補正１８】
【補正対象書類名】明細書
【補正対象項目名】００８５
【補正方法】変更
【補正の内容】
【００８５】
また、放送番組とともに受信された補助的なデータを使用することなく、番組内容を解析して、スポーツ、ニュース、ドラマといった放送番組の様式に応じたカット長などに基づき、放送番組の特徴点を自動的に検出して、放送番組中の特定シーンや項目などを視聴者に見せることができる。


【手続補正１９】
【補正対象書類名】明細書
【補正対象項目名】００８６
【補正方法】変更
【補正の内容】
【００８６】
さらに、放送番組として、静止画などを伝送し、視聴者がこれを参照している間に、複数の部分番組を伝送して、蓄積させ、静止画の参照後に、視聴者の指示に従い、蓄積しておいた部分番組を選択的に視聴させたり、放送局側で指定した視聴形態で視聴させることができる。